(57)【要約】      （修正有）【課題】舞台を俯仰可能と成すために舞台の直立状態で壁と同一面上に配置された舞台の底板下端と幕板上端の間に形成された間隙を閉塞する壁面収納舞台を提供する。【解決手段】壁に凹設された格納庫Ｈの床面ｆ上に、前記壁と同一面上に幕板９を配置した固定脚６を直立固定し、該固定脚６の上部には、水平状態と直立状態に俯仰可能な舞台１の基端部を枢着し、舞台１の直立状態で前記壁と同一面上に配置した舞台１の底板３は、先端部と中央部の一方又は両方が分割形成されると共に、舞台１の水平状態で支持脚として直角に突出し、舞台１の直立状態で底板３として面一に納まる様に回動可能に設けられ、舞台１を俯仰可能と成すために舞台１の直立状態で前記底板３下端と前記幕板９上端の間に形成された間隙Ｓを閉塞するシャッタ16を前記底板３裏面に設ける。【選択図】図７
2019193749.tif 000002
【特許請求の範囲】
【請求項１】
壁に凹設された格納庫の床面上に、前記壁と同一面上に幕板を配置した固定脚を直立固定し、該固定脚の上部には、水平状態と直立状態に俯仰可能な舞台の基端部を枢着し、該舞台の直立状態で表面を前記壁と同一面上に配置した舞台の底板は、先端部と中央部の一方又は両方が分割形成されると共に、舞台の水平状態で支持脚として直角に突出し、舞台の直立状態で底板として面一に納まる様に回動可能に設けられ、舞台を俯仰可能と成すために舞台の直立状態で前記底板下端と前記幕板上端の間に形成された間隙を閉塞するシャッタを前記底板裏面に設けたことを特徴とする壁面収納舞台。
【請求項２】
シャッタは、底板裏面に固定脚へ向かって進退自在に平行配置した平板から成り、固定脚には前記平板の先端が摺接すると共に、舞台の俯仰に応じて底板裏面からの平板の進出長さを規制する軌道を設けたことを特徴とする請求項１記載の壁面収納舞台。
【発明の詳細な説明】
【技術分野】
【０００１】
本発明は、壁に凹設された格納庫に直立状態で収納される壁面収納舞台に関する。
【背景技術】
【０００２】
特許文献１には、直立状態と水平状態に俯仰可能に舞台の基端側を枢着し、舞台の直立状態で壁に凹設された格納庫に収容する様に成した壁面収納舞台が開示されている。
【０００３】
この舞台は、その内部に舞台の俯仰を支持すると共に、直立状態を保持する舞台支持装置としての多数のステイダンパと、舞台の俯仰に応じて伸縮する様に連繋した圧縮コイルバネを舞台の起き上がり方向に付勢した多数の助勢手段を設けている。
【０００４】
ステイダンパは、その一端を舞台の基端側を枢着した枢軸に回動可能に装着した取付板に連結すると共に、その他端を舞台床板を支持する根太に連結しており、舞台の直立状態ではそのロッドが押し込まれた状態となって舞台を押圧保持し、舞台の水平状態へ至る傾動中では、舞台の傾倒につれ所定群のロッドが徐々に引き出されて舞台を支持することにより、舞台の急速な倒伏を防止する様に成している。
【０００５】
助勢手段は、上記枢軸に軸着固定されたスプロケットと、牽引装置とから成り、牽引装置は、ヘッド部をスプロケットに指向する様にテール部を舞台内適所に枢着したシリンダと、シリンダ内をその長さ方向に摺動自在に配設したピストンと、ピストンとヘッド部間に介装された圧縮コイルバネと、ピストンより突設してヘッド部を貫通突出して成るロッドと、該ロッドの突出端部に一端を連結したチェーンとから成り、チェーンは、スプロケットの円周部の一部に係合巻着されると共に、他端がスプロケットに固定されている。
【０００６】
そして、上記の様に構成された助勢手段は、舞台の直立状態で、チェーンによる引張力がバネに作用しない様に設定し、舞台の水平状態で、チェーンがスプロケットに直立状態よりも長く巻き付いてロッドを引張してバネを圧縮させる様に設定し、舞台の水平状態において、舞台の使用状態に支障がない程度でバネの復元力が舞台の起き上がり方向に付勢する様に成している。
【０００７】
これにより、舞台を格納庫に直立収納する際に、舞台を少し持ち上げればコイルバネによる付勢で舞台が所定勾配まで起立回動し、その後はステイダンパによって舞台を直立させれば、格納庫内に簡単に舞台を直立収納できる。
【０００８】
そして、壁に凹設された格納庫に直立状態の舞台を収容した状態では、舞台の底板が前記壁と同一板材にして同一平面上に配置されるため、その底板を前記壁面と同一視できて良好な外観となる。
【０００９】
この点について、特許文献１には、明確に図示されていないが、前方舞台を後方舞台上に重ねた後、該後方舞台を特許文献１と同様に起立回動して壁に凹設された格納庫に前後方の舞台を起立収納できる壁面収納舞台が開示された特許文献２には、壁面上に露出した後方舞台の底板が明確に図示されている。
【００１０】
特許文献２における後方舞台（以下、単に舞台と称する。）は、壁に凹設された格納庫の床面上に、前記壁と同一垂直面上に幕板を配置した固定脚を直立固定し、該固定脚の上部には、水平状態と直立状態に俯仰可能な舞台の基端部を枢着し、舞台の直立状態で表面を前記壁と同一面上に配置した舞台の底板は、先端部寄り部位が分割形成されると共に、舞台の水平状態で支持脚として直角に突出し、舞台の直立状態で底板として面一に納まる様に回動可能に設けられている。
【先行技術文献】
【特許文献】
【００１１】
【特許文献１】実公平４−２５４９７号公報
【特許文献２】特許第３１２２５８７号公報
【発明の概要】
【発明が解決しようとする課題】
【００１２】
そして、特許文献１、２の壁面収納舞台にあっては、舞台を俯仰可能と成すために舞台の直立状態で上記底板下端と幕板上端の間には間隙が形成されることになり、この間隙は比較的低い位置にあるため、この間隙に、子供が手指を不用意に突っ込んで怪我をしたり、いたずらで硬貨などの異物を入れて舞台の俯仰操作に支障を来すといった危険や不具合を招来する課題を有している。
【００１３】
そこで、本発明では、壁に凹設された格納庫に舞台を起立収納した状態において、壁と同一面上に配置された舞台の底板下端と幕板上端の間に生ずる間隙を閉塞する壁面収納舞台を提供することを目的としている。
【課題を解決するための手段】
【００１４】
上記課題に鑑み、本発明の壁面収納舞台は、壁に凹設された格納庫の床面上に、前記壁と同一面上に幕板を配置した固定脚を直立固定し、該固定脚の上部には、水平状態と直立状態に俯仰可能な舞台の基端部を枢着し、該舞台の直立状態で表面を前記壁と同一面上に配置した舞台の底板は、先端部と中央部の一方又は両方が分割形成されると共に、舞台の水平状態で支持脚として直角に突出し、舞台の直立状態で底板として面一に納まる様に回動可能に設けられ、舞台を俯仰可能と成すために舞台の直立状態で前記底板下端と前記幕板上端の間に形成された間隙を閉塞するシャッタを前記底板裏面に設けたことを特徴とする。
又、シャッタは、底板裏面に固定脚へ向かって進退自在に平行配置した平板から成り、固定脚には前記平板の先端が摺接すると共に、舞台の俯仰に応じて底板裏面からの平板の進出長さを規制する軌道を設けたことを特徴とする。
【発明の効果】
【００１５】
要するに本発明は、壁に凹設された格納庫の床面上に、前記壁と同一面上に幕板を配置した固定脚を直立固定し、該固定脚の上部には、水平状態と直立状態に俯仰可能な舞台の基端部を枢着し、該舞台の直立状態で表面を前記壁と同一面上に配置した舞台の底板は、先端部と中央部の一方又は両方が分割形成されると共に、舞台の水平状態で支持脚として直角に突出し、舞台の直立状態で底板として面一に納まる様に回動可能に設けられ、舞台を俯仰可能と成すために舞台の直立状態で前記底板下端と前記幕板上端の間に形成された間隙を閉塞するシャッタを前記底板裏面に設けたので、該シャッタによって前記間隙より手指を突っ込むことや異物を入れ込むことができず、上述した手指の怪我や舞台の俯仰操作不良などの危険や不具合を未然に防止できる。
【００１６】
又、シャッタは、底板裏面に固定脚へ向かって進退自在に平行配置した平板から成り、固定脚には前記平板の先端が摺接すると共に、舞台の俯仰に応じて底板裏面からの平板の進出長さを規制する軌道を設けたので、舞台の直立状態では、底板裏面側で自重による下方（固定脚側への）進出によって底板下端と幕板上端との間隙を閉塞できると共に、舞台の俯仰に応じて底板裏面からの平板の進出長さを規制する軌道によって、舞台を回動操作する時に、平板（シャッタ）が自重で出っ放しの状態で舞台基端部を枢着した固定脚の枢着部まわりの各所に引っ掛かって舞台１の回動に支障を来す様なことなく、スムーズに舞台を回動させられる等その実用的効果甚だ大である。
【図面の簡単な説明】
【００１７】
【図１】舞台を直立させた壁面収納状態を示す正面図である。
【図２】同上底板を省略した舞台内部を示す右半分の正面図である。
【図３】図２の要部拡大図である。
【図４】舞台を直立させた壁面収納状態を示す側面図である。
【図５】同上縦断面図である。
【図６】同上支持脚を突出させた状態の縦断面図である。
【図７】図５、６の要部拡大図である。
【図８】舞台の傾倒状態の要部拡大断面図である。
【図９】舞台の断面図である。
【図１０】図９の要部拡大図である。
【発明を実施するための形態】
【００１８】
以下本発明の実施の一形態例を図面に基づいて説明する。
本発明に係る壁面収納舞台（以下、単に舞台とも称する。）１は、基端部を水平状態と直立状態に俯仰可能に枢着し、舞台設置室Ｒの壁Ｗに凹設された格納庫Ｈに直立状態で収納可能に設けられている。
【００１９】
舞台１は、これの水平状態で水平配置される床板２と、舞台１の直立状態で表面を壁Ｗと一様と成す様に同一垂直面上に配置した底板３とを同一面積に形成して平行配置し、該底板３と床板２の左右側縁間に細長帯状の側板４を、先端間には細長帯状の蹴込板５を夫々架設することにより、基端を開放した扁平箱型に形成している。
尚、舞台１は左右対称構造であり、その内部を示す図２は右側のみを表している。
【００２０】
格納庫Ｈの床面ｆ上には、横手（左右）方向に複数の固定脚６を直立固定し、該固定脚６の上部には、床板２裏面に固定脚６に対応して複数平行配置した上下方向に長い根太７の基端部を枢着し、これにより舞台１を俯仰可能と成す様に舞台１の基端部が枢着されることとなる。
【００２１】
固定脚６の夫々は、舞台１の基端口1aに上端を挿入した状態で舞台１基端部を上記の通り枢着しているため、舞台１を傾倒可能と成す様に底板３基端を介入可能に前方が開放された凹欠部８を舞台１との枢着部6aの下方に設けている。
【００２２】
左右側縁の固定脚６の正面間には、壁Ｗと一様と成す様に同一垂直面上に配置した左右方向に長い帯状の幕板９を架設している。
【００２３】
又、左右側方で平行な２本の根太７の中間に架設される桟木10（図２において右側のみを示す。）には、左右側縁の根太７及び側板４を貫通して、側板４外面より出没自在な錠杆11ａを有する舞台直立保持装置としての丸落とし錠11を設け、該丸落とし錠11の錠杆11ａ先端が挿脱される丸穴状の錠受け12を格納庫Ｈの側壁H1に設けている。
【００２４】
底板３は、先端部と中央部の一方又は両方（図示例では先端部と中央部の２箇所）が分割形成されると共に、舞台１の水平状態で横幅が底板３と同幅なパネル状の支持脚3aとして直角に突出し、舞台１の直立状態で底板３の一部として面一に納まる（同一平面上に配置される）様に回動可能に設けられている。
【００２５】
支持脚3aは、基端部裏面が根太７の適所に設けたヒンジ部を以て枢着され、支持脚3aと床板２の裏面適所の夫々に複数設けたブラケット間にロッド13ａが伸縮自在なダンパー13を架設しており、支持脚3aの先端部裏面の複数箇所には突出長さが調節自在な接地部14を設けている。
【００２６】
又、底板３において中央の支持脚3aを起曲させた部位には、舞台１内部に通じる連通口15が開口して成り、該連通口15の近傍の舞台１内側に丸落とし錠11が配置される様に設定している。
【００２７】
そして、舞台１の直立状態において、底板３下端（基端）と幕板９上端の間には、舞台１を俯仰可能と成すために横手一条の細長な間隙Ｓが形成されることになる。
【００２８】
この間隙Ｓは、床面ｆから比較的低い位置に形成されるため、子供が手指を不用意に突っ込んで怪我をしたり、いたずらで硬貨などの異物を入れて舞台の俯仰操作に支障を来すといった危険や不具合を招来しており、本発明に係る壁面収納舞台１では、間隙Ｓを閉塞するシャッタ16を底板３裏面に設けている。
【００２９】
シャッタ16は、底板３裏面に固定脚６へ向かって進退自在に平行配置した平板16から成り、固定脚６には平板16の先端（下端）が摺接すると共に、舞台１の俯仰に応じて底板３裏面からの平板16の進出長さを可変規制する軌道17を設けている。
【００３０】
平板16は、図３、７に示す様に、側板４間の間隔と同長で横手に長くして、且つ所定丈（先端と基端間の長さ）を有する帯状に形成された金属板であり、底板３裏面にこれの基端（図７において下端）より所定間隔を置いて平行に配置する様に固設した角パイプ状の横手杆18に吊り下げられている。
【００３１】
平板16の基端（図３、７において上端）は床板２に指向する様に直角に屈曲した鍔部16ａを設け、該鍔部16ａの長手（左右）方向には、複数の支軸19を所定間隔置きに横手杆18に向かって上方突設している。
【００３２】
支軸19は先端（下端）側のみに螺子部を設けたボルトから成り、該ボルト19を横手杆18の図３、７において上方から下方へ直交する様に貫通して、その基端（上端）側の無螺子部を横手杆18に対し摺動自在と成し、前記螺子部に螺着したナット及び高ナット間に鍔部16ａを挟持しており、格納庫Ｈに収納された舞台１の直立状態で、抜止め部19ａと成した上端のボルト頭19ａが横手杆18の上面（座面）18ａに着座し、自重により最長の進出長さを以て進出する平板16が間隙Ｓを閉塞する様に成している。
【００３３】
軌道17は、固定脚６の凹欠部８の湾曲形成された下側縁8aと、該下側縁8aの後端に上方垂直に連続形成した後側縁8bとから成り、舞台１の俯仰に応じて平板16の先端が摺接する軌道17に沿って押圧されることで平板16の進出長さを可変させることにより、舞台１を回動操作する時に、平板（シャッタ）16が自重で出っ放しの状態で舞台１基端部を枢着した固定脚６の枢着部6aまわりの各所に引っ掛かって舞台１の回動に支障を来す様なことなく、スムーズに舞台１を回動させる様に規制している。
【００３４】
尚、本実施例の舞台１にも、上記特許文献１、２と同様に、その内部に図示しない舞台支持装置としての多数のステイダンパと、多数の助勢手段を設けても良い。
【００３５】
上記の様に構成された舞台１は、格納庫Ｈに収納された直立状態では、丸落とし錠11の錠杆11ａが側板４外面より突出してその先端が格納庫Ｈの側壁H1に設けた錠受け12に挿入されており、舞台１の直立状態が保持され、倒伏防止されており、不用意に舞台１が倒伏することがなく、安全である。
【００３６】
この舞台１の直立状態では、その底板３はその表面が壁Ｗと同一平面上に配置される様に露出しており、底板３下端（基端）と幕板９上端の間には、舞台１を俯仰可能と成すための横手一条の細長な間隙Ｓが床面ｆから比較的低い子供の手の届く高さに形成されている。
【００３７】
そして、底板３の裏面側では、横手杆18から支軸19を介して吊り下げ状態にあるシャッタ16が間隙Ｓを閉塞しているので、該間隙Ｓより手指を突っ込むことや異物を入れ込むことができず、手指の怪我や舞台の俯仰操作不良などの危険や不具合を未然に防止している。
【００３８】
又、格納状態の舞台１を舞台に変形させるには、先ず底板３に一体化している支持脚3aを底板３に対し起曲する様に直角に突出させる。
【００３９】
次いで、連通口15を通して丸落とし錠11を操作して先端が錠受け12に挿入されている錠杆11ａを舞台１内部に没入させ、直立状態の舞台１の倒伏防止状態を解除する。
【００４０】
この後に舞台１を倒伏回動させて支持脚3a先端より突出する接地部14を床面ｆ上に接地させることにより、床板２を上層に水平配置した舞台を構成する。
【００４１】
舞台１を直立状態から傾倒させると、その傾倒に応じて平板16の先端が摺接する軌道17に沿って押圧されるため、シャッタ16はその進出長さを可変させられる。
【００４２】
これにより、舞台１を回動操作する時に、シャッタ16が自重で出っ放しの状態で舞台１基端部を枢着した固定脚６の枢着部6aまわりの各所に引っ掛かって舞台１の回動に支障を来す様なことなく、スムーズに舞台１を回動させられる。
【００４３】
又、舞台１を格納するには、逆の手順にて舞台１を起立回動し、丸落とし錠11の錠杆11ａを錠受け12に挿入し、支持脚3aを底板３と一体化する様に復位することで成し得る。
【符号の説明】
【００４４】
１  舞台
３  底板
3a  支持脚
６  固定脚
９  幕板
16  シャッタ（平板）
17  軌道
ｆ  床面
Ｈ  格納庫
Ｓ  間隙
Ｗ  壁
【図１】
2019193749.tif 000003
【図２】
2019193749.tif 000004
【図３】
2019193749.tif 000005
【図４】
2019193749.tif 000006
【図５】
2019193749.tif 000007
【図６】
2019193749.tif 000008
【図７】
2019193749.tif 000009
【図８】
2019193749.tif 000010
【図９】
2019193749.tif 000011
【図１０】
2019193749.tif 000012